(57)【要約】【課題】入賞装置の入賞室における球の振分態様を多様化することのできる遊技機を提供する。【解決手段】遊技盤に装着される入賞装置の入賞室４３には、流入した球Ｂを第１経路Ｃ１と第２経路Ｃ２に振分ける球振分部Ａを設ける。球振分部Ａの第１可動体５０は上下動可能に設け、第２可動体５２は前後動可能に設ける。第２可動体５２の前後動によって第２経路Ｃ２に通じる落し口５３を開閉する。落し口５３の開口時には、第１可動体５０の受止部５０ａに受け止められた球が落し口５３から第２経路Ｃ２へ流下される。落し口５３の閉口時において、第１可動体５０が高位置の時は受止部５０ａに受け止められた球が誘導部５２ａを通じて第１経路Ｃ１へ誘導され、第１可動体５０が低位置の時は受止部５０ａに受け止められた球が第２可動体５２の保留部５２ｂによって保留される。【選択図】　　　図６
2004113499.tif 000002
【特許請求の範囲】
【請求項１】
遊技盤に装着される入賞装置を備えた遊技機であって、
前記入賞装置は、球が流入する入賞室を備え、
前記入賞室には、流入した球を遊技者に有利となる領域へ誘導する第１経路と遊技者に不利となる領域へ誘導する第２経路とに振分ける球振分部が設けられ、
前記球振分部は、第１可動体と第２可動体とを備え、
前記第１可動体は、上下動可能に設けられ、前記入賞室に流入してきた球を受け止めて第２可動体側へ誘導可能な受止部を有し、
前記第２可動体は、前後動可能に設けられ、その前後動によって前記第１可動体の受止部に受け止められた球を前記第２経路へ流下させる落し口を開閉可能で、かつ、前記受止部に受け止められた球を前記第１経路へ誘導可能な誘導部及び前記受止部に受け止められた球を保留可能な保留部を有し、
前記第２可動体による落し口の開口時には、前記第１可動体の受止部に受け止められた球が該落し口から前記第２経路へ流下され、
前記第２可動体による落し口の閉口時において、前記第１可動体が高位置にある時は前記受止部に受け止められた球が前記誘導部を通じて前記第１経路へ誘導され、また前記第１可動体が低位置にある時は前記受止部に受け止められた球が第２可動体の保留部によって保留される構成とした、
ことを特徴とする遊技機。
【請求項２】
請求項１に記載の遊技機であって、前記第２可動体には、前記第１可動体の受止部の反落し口側にくる球を前記保留部によって保留可能でかつ該第１可動体の受止部の落し口側にくる球を落し口へ落下可能とする中間位置を設定したこと特徴とする遊技機。
【請求項３】
請求項１又は２に記載の遊技機であって、前記第１経路には、特定入賞口を有する特定入賞部材が、該第１経路を流下する球を保留する保留位置と、該第１経路を流下する球を前記特定入賞口に入賞可能とする受入位置とに位置変更可能に設けられていることを特徴とする遊技機。
【請求項４】
請求項３に記載の遊技機であって、前記特定入賞部材の特定入賞口に対し、前記第２経路を流下する球の一部を入賞可能としたことを特徴とする遊技機。
【発明の詳細な説明】
【０００１】
【発明の属する技術分野】
この発明は、例えばパチンコ機（雀球機、アレンジボール機等も含む）のような遊技機に関する。
【０００２】
【従来の技術】
従来、遊技盤に装着される入賞装置を備えた遊技機において、該入賞装置の入賞室に対し、流入してくる球を振分けるための２つの可動体をそれぞれ独立的に設けたものがあった（例えば、特許文献１参照。）。
【０００３】
【特許文献１】
特開平５−１０３８６０号公報（第２−９頁、図１−５）
【０００４】
【発明が解決しようとする課題】
しかしながら、上記した特許文献１の遊技機では、入賞装置の２つの可動体がそれぞれ独立的に球を振分けるものにすぎないため、球の振分け態様が単純で、面白味に欠けるという問題があった。
【０００５】
そこで、本発明が解決しようとする課題は、入賞装置の入賞室における球の振分態様を多様化することのできる遊技機を提供することである。
【０００６】
【課題を解決するための手段】
前記した課題は、特許請求の範囲の欄に記載された構成を要旨とする遊技機により解決することができる。すなわち、特許請求の範囲の請求項１に記載された遊技機によると、遊技盤に装着した入賞装置の入賞室に流入した球は、球振分部における第１可動体の受止部に受け止められた後、第１可動体の上下動と第２可動体の前後動との協働によって、第１経路と第２経路とに振分けられる。すなわち、第２可動体による落し口の開口時には、第１可動体の高さ位置にかかわらず、前記受止部に受け止められた球が該落し口から第２経路へ流下される。また、第２可動体による落し口の閉口時において、第１可動体が高位置にある時は前記受止部に受け止められた球が第２可動体の誘導部を通じて第１経路へ誘導され、また第１可動体が低位置にある時は前記受止部に受け止められた球が第２可動体の保留部によって保留される。その保留された球は、その後の第１可動体の上動によって該第２可動体の誘導部を通じて第１経路へ誘導されるか、あるいは、第２可動体による落し口の開口によって該落し口から第２経路へ流下させることができる。
したがって、入賞装置の入賞室の球振分部における第１可動体の上下動と第２可動体の前後動との協働により、両可動体の相対的な位置関係が様々に変化することによって、球の振分態様を多様化することができる。
【０００７】
また、特許請求の範囲の請求項２に記載された遊技機によると、第２可動体の中間位置では、第１可動体の高さ位置にかかわらず受止部の落し口側にくる球は該落し口へ落下される。また、第１可動体の受止部の反落し口側にくる球は、第１可動体が高位置にある時は第２可動体の誘導部を通じて第１経路へ誘導され、また第１可動体が低位置にある時は第２可動体の保留部によって保留される。その保留された球は、その後の第１可動体の上動によって該第２可動体の誘導部を通じて第１経路へ誘導されるか、あるいは第２可動体による落し口の開口によって該落し口から第２経路へ流下させることができる。また、受止部の反落し口側に球が常にくる場合には、保留された球に対し後続の球が、落し口側に転がり落ちることによって落し口へ落下されるものとする。なお、保留する球数は適宜選定することができる。
したがって、第２可動体の中間位置において、球が不規則に振分けられることにより、球の振分態様を一層多様化することができる。
【０００８】
また、特許請求の範囲の請求項３に記載された遊技機によると、特定入賞部材が受入位置にあるときは、第１経路を流下する球が特定入賞口に入賞する。また、特定入賞部材が保留位置にあるときは、第１経路を流下する球が特定入賞部材によって保留される。その保留された球は、その後の特定入賞部材の受入位置への位置変更によって、特定入賞口に入賞する。これにより、遊技者は特定入賞口への球の入賞の期待感を持続させて遊技を楽しむことができる。
【０００９】
また、特許請求の範囲の請求項４に記載された遊技機によると、特定入賞部材の特定入賞口に、第２経路を流下する球の一部が入賞することができる。このように、第２経路を流下する球も特定入賞口に入賞可能にすることにより、第２経路に球が流下した場合であっても、遊技者は特定入賞口への球の入賞の期待感を喪失することなく遊技を楽しむことができる。
【００１０】
【発明の実施の形態】
本発明の一実施の形態を図面にしたがって説明する。本実施の形態では、遊技機として、「第２種」のパチンコ機を説明する。なお、「第２種」のパチンコ機は、球が始動入賞装置に入ることにより中央入賞装置の変動部材が所定回数変動し、その変動中に球が特定領域に入ることによって変動部材がさらに継続的に変動する形式のパチンコ機である。
【００１１】
まず、パチンコ機の遊技盤の概要から述べる。図１に示すように、遊技盤１０はほぼ四角形板状に形成されている。該遊技盤１０の前面すなわち遊技盤面には、外側レール部１１ａと内側レール部１１ｂとを備える案内レール１１が設けられている。案内レール１１によって、球発射通路１３及び遊技領域１４が区画されている。球発射通路１３は、球発射装置（図示省略）から発射されたパチンコ球（以下、球という）Ｂを遊技領域１４内へ案内する。
【００１２】
前記遊技盤１０の遊技盤面には、前記遊技領域１４内のほぼ中央部に位置する中央入賞装置２８、及び、その入賞装置２８の下方に位置する中央の始動入賞装置２０及び左右の各始動入賞装置２２がそれぞれ装着されている。なお、図示しないが、各始動入賞装置２０，２２には、球Ｂが流入するすなわち入賞する始動口及び入賞した球Ｂを検出する球検出器がそれぞれ設けられている。
また、遊技盤面には、遊技領域１４内において、中央入賞装置２８の左右両方及び隣合う始動入賞装置２０，２２の相互間にそれぞれ位置する計４個の一般入賞器２４が装着されている。各一般入賞器２４は周知のものであるからその説明を省略する。
また、遊技盤面には、遊技領域１４内において多数の釘１５及び風車器１６が配設され、また該遊技領域１４の下端部にはアウト口１７が設けられている。
【００１３】
次に、前記中央入賞装置２８を説明する。図３に示すように、中央入賞装置２８は、前記遊技盤１０の遊技盤面にビス止め等によって装着されるベース体２９の上下部に装備された球滞留装置３０と入賞装置本体４０とを備えている。なお、中央入賞装置２８は本明細書でいう「入賞装置」に相当する。
【００１４】
まず、球滞留装置３０から説明する。球滞留装置３０は、図３に示すように、収容凹部３１と上突出壁３２とを備えている。収容凹部３１は、前記ベース体２９に対し後方（図３において右方）へほぼボックス状に凹設されている。上突出壁３２は、ベース体２９から前方（図３において左方）へ突出されかつ収容凹部３１の開口側上面を覆うほぼ波形状に形成されている（図２参照）。収容凹部３１内には、ほぼ丸皿状の球旋回部材３３がほぼ水平状に設けられている。球旋回部材３３の前端部は、ベース体２９から前方（図３において左方）へ突出されている。また、上突出壁３２と球旋回部材３３との間が左右両側方に開放されることにより、遊技領域１４（図１参照）を流下する球Ｂを左方又は右方から球旋回部材３３上へ流入可能とする左右の各入球口３４が形成されている（図４参照）。
【００１５】
図３に示すように、前記球旋回部材３３の上面３３ａは、円錐状の凹面に形成されており、前記各入球口３４から流入された球Ｂを受入れてからほぼ垂直な軸線３３Ｌ回りに旋回させながら徐々に下降させることができる。球旋回部材３３の底板部には、球Ｂを１個ずつ落下させる球出口３５が形成されている。また、球旋回部材３３の上面３３ａは、各入球口３４から流入した球Ｂを受入れてから、球出口３５から落下するまでに所定の滞留時間、例えば約５〜１０秒の滞留時間がかかる形状をなしている。
【００１６】
図３に示すように、前記上突出壁３２と前記球旋回部材３３との間は前方に開放された開放部Ｋとなっており、球旋回部材３３上すなわち球Ｂの旋回状態が表示すなわち遊技者に向けて表示されている。これにより、遊技者は、目Ｍで、遊技盤１０の前方を覆うガラス板等の透視板１９及び開放部Ｋを透して、球旋回部材３３上の球Ｂの旋回状態を視認することができる。なお、図２に示すように、前記ベース体２９の上半部は、例えばオランウータンの上半身を模した外形に形成されている。また、上突出壁３２は、例えばオランウータンの眉毛を模した形状に形成されている。
【００１７】
図３に示すように、前記収容凹部３１の底面には、前記球旋回部材３３の球出口３５から落下した球Ｂを前方（図３において左方）へ誘導する球誘導路３６が凹設されている。また、前記ベース体２９には、前記上突出壁３２に対応しかつ前記収容凹部３１の開口側下面を覆うほぼ山形状の下突出壁３７が前方（図３において左方）へ突出されている。下突出壁３７は、球誘導路３６の底面に連続する頂上面３７ａ、及び、その頂上面３７ａから左右両側方に向かって緩やかな下り勾配を有する傾斜面３７ｂを有している（図２参照）。また、下突出壁３７の前端部には、下突出壁３７と球旋回部材３３との間の開口端面を覆う遮蔽板３８が形成されている。このため、球誘導路３６を前方へ流下してきた球Ｂは、遮蔽板３８に突き当たり、下突出壁３７の頂上面３７ａから左右いずれかの傾斜面３７ｂ（図３参照）上を当該側方へ転がり落ちる（図５中、点線参照）。また、球旋回部材３３と下突出壁３７との間が左右両側方に開放されることにより、下突出壁３７上を転がり落ちる球Ｂを放出可能とする左右の各放出口３９が形成されている（図５参照）。各放出口３９は、左右対称状でかつ所定距離隔てた位置関係をもって形成されている。なお、遮蔽板３８は、例えばオランウータンの口髭を模した外形に形成されている（図２参照）。
【００１８】
次に、入賞装置本体４０を説明する。入賞装置本体４０は、図３に示すように、前記ベース体２９に対し前方（図３において左方）へ突出されかつ前記下突出壁３７の下方に位置する第１棚板４１を備えている（図４参照）。第１棚板４１の上面４１ａは、中央部に向かって凹んでいる（図２参照）。ベース体２９には、前記収容凹部３１の下側において後方（図３において右方）へほぼボックス状に凹設されたケース凹部４２が形成されている。ケース凹部４２の内部空間は入賞室４３となっている。入賞室４３は、ベース体２９の第１棚板４１の下方に形成された開口部２９ａによって開放されている（図２参照）。また、図３に示すように、第１棚板４１は、緩やかな下り勾配をなしてベース体２９の後方（図３において右方）の入賞室４３内へ延出されている。ベース体２９には、第１棚板４１の中央部上に位置する貫通孔４４が形成されている。このため、第１棚板４１の上面４１ａ上に流入した球Ｂ（図３参照）は、貫通孔４４を通じて入賞室４３の後部へ誘導された後に落下される。
【００１９】
図２に示すように、前記ベース体２９の開口部２９ａの上縁部には、そのベース体２９の前側に位置する左右の各開閉部材４５が支軸４６を介して回動可能に支持されている。各支軸４６は、それぞれ電動モーター、電磁ソレノイド等の駆動源（図示省略）によって正逆回転される。各支軸４６の正逆回転によって、各開閉部材４５が前記下突出壁３７と前記第１棚板４１との間を開く第１状態（図２中、実線４５参照）と、その間を閉じる第２状態（図２中、二点鎖線４５参照）とに開閉可能になっている。開閉部材４５が第１状態にあるときには、その開閉部材４５と下突出壁３７との間の球入口４７が開放される。このため、前記放出口３９から放出された球Ｂが、球入口４７を通じて第１棚板４１上に誘導される（図５参照）。また、開閉部材４５が第２状態にあるときには、前記球入口４７が閉じられる。このため、放出口３９から放出された球Ｂは、第１棚板４１上への入賞が困難となり、中央入賞装置２８（図１参照）外へ誘導される。なお、開閉部材４５は、本明細書でいう「変動部材」に相当する。
【００２０】
しかして、前記各開閉部材４５の開閉動作は次のように設定されている。すなわち、前記各始動入賞装置２０，２２（図１参照）に入賞した球Ｂを検出した球検出器からの検出信号に基づいて、制御装置（図示省略）が乱数による抽選を行う。その抽選結果に応じて、左側の開閉部材４５のみの開閉動作、あるいは右側の開閉部材４５のみの開閉動作、あるいは両開閉部材４５の開閉動作のうち、いずれかの開閉動作が選択される。制御装置は、選択した開閉動作に応じた開閉部材４５の駆動源に駆動信号を出力し、当該開閉部材４５に対し所定時間（例えば、０．５秒）だけ開いて閉じるという開閉動作を与える。また、本実施の形態の場合、中央の始動入賞装置２０に球Ｂが入賞したときは、当該開閉部材４５に２回の開閉動作が与えられ、また、左右の各始動入賞装置２２に球Ｂが入賞したときは当該開閉部材４５に１回の開閉動作が与えられるようになっている。
【００２１】
図３に示すように、前記入賞室４３の奥壁４３ａの中央上部には、第２棚板４８が設けられている。第２棚板４８は、前記第１棚板４１上から落下した球Ｂを受け止めかつその球Ｂを図２において右方へ転動させた後に落下させる。また、入賞室４３の底板４９の上方には、奥側の右端部に位置するほぼ四角形状の第１可動体５０が上下動可能に配置されている（図６及び図７参照）。第１可動体５０の上面は、受止面５０ａとなっている。受止面５０ａは、第２棚板４８上から落下した球Ｂを受け止めかつその球Ｂを図２において左方すなわち第２可動体５２（後述する）側へ転動可能な勾配を有する傾斜面で形成されている。なお、受止面５０ａは本明細書でいう「受止部」に相当する。
また、第１可動体５０の前端面には、左方に張出す前側板５０ｂが形成されている（図７参照）。第１可動体５０は、常には電動モーター等の駆動源（図示省略）によって上下動される。なお、第１可動体５０の受止面５０ａ上に落下する球Ｂは本明細書でいう「入賞室に流入した球」に相当する。
【００２２】
図６に示すように、前記入賞室４３の奥壁４３ａには、ほぼ四角形状の第２可動体５２が前記第１可動体５０と隣合せに配置されている。第２可動体５２は、前記第１可動体５０の左側面と前側板５０ｂとのなす隅角部分において前後動可能に配置されている。第２可動体５２の上面は、誘導上面５２ａとなっている。誘導上面５２ａは、第１可動体５０の上死点における受止面５０ａより僅かに低位置において、その受止面５０ａ上から転動してくる球Ｂを左方すなわち第３棚板５５（後述する）上へ転動可能な勾配を有する傾斜面で形成されている（図７参照）。なお、誘導上面５２ａは本明細書でいう「誘導部」に相当する。
また、第２可動体５２は、電動モーター等の駆動源（図示省略）によって、第１可動体５０の前側板５０ｂとの間に球Ｂを落下可能な落し口５３を開口する後退位置（図６中、二点鎖線５２参照）と、その落し口５３を閉口する前進位置（図７参照）との間で前後動される。詳しくは、第２可動体５２は、常には後退位置におかれ、前記開閉部材４５（図２参照）が開いた時点から所定時間後に前進位置に前進して所定時間停止してから後退位置に後退される。
【００２３】
前記第２可動体５２の右側面は、保留側面５２ｂとなっている。保留側面５２ｂは、該第２可動体５２の前進時すなわち落し口５３の閉口時（図７参照）において、該第２可動体５２の誘導上面５２ａより前記第１可動体５０の受止面５０ａが低位置にある時（図２参照）に、該受止面５０ａ上に受止められた球Ｂを堰き止めて保留する。なお、保留側面５２ｂは本明細書でいう「保留部」に相当する。また、第２可動体５２の保留側面５２ｂによって第１可動体５０の受止面５０ａ上に受止められた球Ｂが堰き止められる時が本明細書でいう「第１可動体が低位置にある時」に相当し、第１可動体５０の受止面５０ａ上に受止められた球Ｂが保留側面５２ｂによって堰き止められずに誘導上面５２ａ上へ転動する時（図７参照）が本明細書でいう「第１可動体が高位置にある時」に相当する。また、第１可動体５０と第２可動体５２とは本明細書でいう「球振分部」を構成している。
【００２４】
さらに、前記第２可動体５２は、大当たり遊技の開始時（後述する）において、後退位置（図６中、二点鎖線５２参照）と前進位置（図７参照）との間の中間位置（図６中、実線５２参照）に移動可能に設定されている。第２可動体５２が中間位置にあるときは、前記第１可動体５０の受止面５０ａ上の反落し口側（後半部）にくる球Ｂを前記保留側面５２ｂによって保留可能で、かつ、該第１可動体５０の受止面５０ａ上の落し口側（前半部）にくる球Ｂを落し口５３へ落下可能となっている。
【００２５】
図７に示すように、前記入賞室４３の奥壁４３ａには、第３棚板５５が設けられている。第３棚板５５は、前記第１可動体５０の受止面５０ａ上から第２可動体５２の誘導上面５２ａ上を通って転動してくる球Ｂを左方へ転動させた後に落下させる。入賞室４３の左端部には、第３棚板５５から落下した球Ｂを下端部の通路出口５６ａから放出する誘導筒５６が設けられている。
【００２６】
前記入賞室４３の左前隅角部には、ほぼ角筒状をなしかつ中空内部を特定領域の特定入賞口５７ａとする特定入賞筒５７が上下動可能に配置されている。特定入賞筒５７は、常には電動モーター等の駆動源（図示省略）によって上下動される。特定入賞筒５７は、上昇位置すなわち保留位置（図６参照）と、下降位置すなわち受入位置（図７参照）とに位置変更可能になっている。特定入賞筒５７は、前記保留位置において誘導筒５６の通路出口５６ａに流下する球Ｂを堰き止めて保留し、また、前記受入位置（図７参照）においてその保留した球Ｂを含め誘導筒５６の通路出口５６ａに流下した球Ｂを特定入賞口５７ａ内に入賞可能とする。特定入賞口５７ａへ流入した球Ｂは、球検出器（図示省略）によって検出されてから遊技盤１０（図１参照）の裏側へ排出される。なお、特定入賞筒５７の特定入賞口５７ａは、球Ｂの通過時に遊技者に特典を与える領域いわゆる特定領域に相当する。また、特定入賞筒５７は本明細書でいう「特定入賞部材」に相当する。
【００２７】
図６に示すように、前記入賞室４３の底板４９の上面４９ａは、前記右奥部側から前方及び左方に向かって緩やかな下り勾配を有する傾斜面となっている。また、底板４９の上面４９ａの左前隅角部には、前記特定入賞筒５７に隣接する凹状の段差面４９ｂが形成されている。段差面４９ｂは、図７に示すように、特定入賞筒５７が受入位置にあるときに、該段差面４９ｂ上の球Ｂを特定入賞口５７ａ内へ入賞可能すなわち流入可能とする。また、底板４９の左奥部には、ガイド凸部５９が形成されている。ガイド凸部５９は、右奥部側から左方へ向かう球Ｂを段差面４９ｂの方向へ誘導する傾斜面５９ａを有している。また、底板４９の前側には、一般入賞部５８が設けられている。一般入賞部５８は、底板４９の段差面４９ｂを含む上面４９ａ（図６参照）から流下する球Ｂを受入可能な一般領域５８ａを形成している（図３参照）。一般領域５８ａへ流入すなわち入賞した球Ｂは、球検出器（図示省略）によって検出されてから遊技盤１０（図１参照）の裏側へ排出される。なお、一般領域５８ａは、球Ｂの通過時でも遊技者に特典を与えない領域である。
【００２８】
図３に示すように、前記入賞室４３の奥壁４３ａには、図柄表示装置６０が配設されている。図柄表示装置６０は、球Ｂが前記特定入賞口５７ａ（図７参照）に入った後の大当たり決定時に、最大、何ラウンド継続するかのラウンド抽選を行う図柄を変動させて表示し、その後、停止によって表示された図柄によって決定されたラウンド数を表示する。例えば、図柄表示装置６０に、図柄「１」、「７」、「Ｖ」で構成される１列の図柄列が変動して表示される。その後、図柄表示装置６０に表示された図柄が「１」で停止した時は１ラウンド、「７」で停止した時は７ラウンド、「Ｖ」で停止した時は１５ラウンドというように、「大当たり遊技」に付与されるラウンド数が表示される。
【００２９】
次に、上記したパチンコ機で遊技を行う場合を説明する。図１において、球発射装置（図示省略）によって発射された球Ｂは、球発射通路１３を通じて遊技盤１０の遊技領域１４に流入し、多数の釘１５や風車器１６等に当たってはね返りながら遊技領域１４を流下する。このとき、遊技領域１４内に打ち出された多数の球Ｂのうち、一部の球Ｂは各始動入賞装置２０，２２、中央入賞装置２８、一般入賞器２４等に入賞し、それ以外の球Ｂはアウト口１７を経て機外へ排出される。また、通常時においては、図８のタイミングチャートに示すように、開閉部材４５は、第２状態（閉状態）におかれている。また、第１可動体５０は、所定周期の上下動を継続的に繰り返している。また、第２可動体５２は後退位置におかれている。また、特定入賞筒５７は、所定周期の上下動を継続的に繰り返している。なお、第１可動体５０と特定入賞筒５７は、例えば２：１の比率の周期でもって上下動されている。
【００３０】
そして、中央の始動入賞装置２０に球Ｂが入ると、その球Ｂを検出した球検出器の検出信号に基づいて、当該開閉部材４５の駆動源に駆動信号が出力される。これによって、当該開閉部材４５に２回の開閉動作が与えられる。また、左右の各始動入賞装置２２に球Ｂが入ると、中央の始動入賞装置２０の場合と同様にして、当該開閉部材４５に１回の開閉動作が与えられる。さらに、前記開閉部材４５の開放と同時に、第２可動体５２の駆動源に駆動信号が出力され、該可動体５２に前後動作が与えられる（図９参照）。なお、第１可動体５０の１回の開時間に対し、例えば、１／３程度の時間が第２可動体５２の前進位置にある時間となっている。
【００３１】
一方、中央入賞装置２８において、遊技領域１４（図１参照）を流下する球Ｂのうち、一部の球Ｂは、球滞留装置３０のいずれかの入球口３４を通じて球旋回部材３３の上面３３ａ（図３参照）上に流入する。その球Ｂは、球旋回部材３３の上面３３ａ上を旋回しながら徐々に下降することによって所定時間滞留される。その後、球旋回部材３３の球出口３５から落下した球Ｂは、球誘導路３６を経て、遮蔽板３８に突き当たり、下突出壁３７の頂上面３７ａから左右いずれかの傾斜面３７ｂ（図２参照）上を当該側方へ転がり落ち、当該放出口３９から放出される。
【００３２】
ところで、球Ｂが放出される放出口３９に対応した開閉部材４５が閉状態すなわち第２状態（図２中、二点鎖線４５参照）であれば、その球Ｂは、中央入賞装置２８外へ誘導され、第１棚板４１上への入賞が困難となる。また、球Ｂが放出される放出口３９に対応した開閉部材４５が開状態すなわち第１状態（図２中、実線４５参照）であれば、その球Ｂは、当該球入口４７を通じて第１棚板４１上に誘導される（図５参照）。その球Ｂは、貫通孔４４を通じて入賞室４３の後部へ誘導され、第２棚板４８（図３参照）上に落下する。
【００３３】
そして、第２棚板４８上を転動した球Ｂは、球振分部（図２に符号、Ａを付す）の第１可動体５０の受止面５０ａ上に落下する。このとき、第２可動体５２が後退位置（図６中、二点鎖線５２参照）にあれば、第１可動体５０の高さ位置にかかわらず、その受止面５０ａ上に受止められた球Ｂは、落し口５３から底板４９の上面４９ａ上に落下し、その上面４９ａ上を転動する経路（第２経路という）Ｃ２をたどる（図６参照）。第２経路Ｃ２をたどる球Ｂのうち、大半の球Ｂはそのまま一般領域５８ａへ入賞する。その残りの球Ｂは段差面４９ｂ上に至る。そして、段差面４９ｂ上の球Ｂは、特定入賞筒５７が上昇位置すなわち保留位置（図６参照）にあればその入賞筒５７に当たってから一般領域５８ａへ入賞し、また、特定入賞筒５７が下降位置すなわち受入位置（図７参照）にあれば特定入賞口５７ａへ入賞する。
【００３４】
また、第２可動体５２が前進位置にあり、前記落し口５３が閉口された状態において、第１可動体５０が高位置にある時すなわち受止面５０ａが第２可動体５２の誘導上面５２ａより高位置にある時（図７参照）には、受止面５０ａ上に落下した球Ｂは、第２可動体５２の誘導上面５２ａ上を通じて第３棚板５５上を転動した後、誘導筒５６内を落下して通路出口５６ａに至る経路（第１経路という）Ｃ１をたどる（図７参照）。
また、第１可動体５０が低位置にある時すなわち受止面５０ａが第２可動体５２の誘導上面５２ａより低位置にある時（図２参照）には、その受止面５０ａ上に落下した球Ｂは、第２可動体５２の保留側面５２ｂによって堰き止められて保留される。その保留された球Ｂは、その後の第２可動体５２の後退によって開口された落し口５３から前記第２経路Ｃ２をたどるか、あるいは、その後の第１可動体５０の上動によって受止面５０ａ上から誘導上面５２ａ上を通じて前記第１経路Ｃ１をたどる（図７参照）。
【００３５】
また、前記第１経路Ｃ１において、誘導筒５６の通路出口５６ａに至った球Ｂは、特定入賞筒５７が下降位置すなわち受入位置（図７参照）にあれば、特定入賞筒５７の特定入賞口５７ａ内へ入賞する。また、特定入賞筒５７が上昇位置すなわち保留位置（図６参照）にあれば、誘導筒５６の通路出口５６ａから出る球Ｂは、特定入賞筒５７によって堰き止められて保留される。その保留された球Ｂは、その後の特定入賞筒５７の受入位置（図７参照）への下降により、特定入賞口５７ａ内へ入賞する。そして、特定入賞口５７ａに入賞した球Ｂが、球検出器によって検出されると、その検出信号に基づいて制御装置によって「大当たり遊技」が開始される。大当たり遊技が開始されると、図１０に示すように、開閉部材４５が１８回の開閉動作を連続して繰り返すことにより、入賞室４３への球Ｂの入賞確率が高まる。一方、前記大当たり遊技の開始と共に、第１可動体５０が下降位置へ下降し、第２可動体５２が中間位置へ移動し、特定入賞筒５７が上昇位置すなわち保留位置へ上昇する（図６及び図１０参照）。
【００３６】
このとき、第２棚板４８（図２参照）からの大半の球Ｂは、第１可動体５０の受止面５０ａ上の後半部である反落し口側に落下してくる。その球Ｂは、中間位置にある第２可動体５２の保留側面５２ｂで堰き止められて保留される。この保留された１個目の球Ｂに対して後続の球Ｂは、１個目の保留された球Ｂ上に落下して受止面５０ａ上の前半部である落し口側へ転がり落ち、さらには落し口５３から底板４９上に落下し、第２経路Ｃ２をたどる。なお、保留される球Ｂは、１個に限定されるものではない。
また、第２棚板４８（図２参照）からの大半の球Ｂは第１可動体５０の受止面５０ａ上の反落し口側にくるようになっているが、第２棚板４８上に受止められた球Ｂの転動具合や受止面５０ａ上への球Ｂの落下速度等によって、球Ｂが受止面５０ａの落し口側にくる場合がある。この場合の球Ｂも、落し口５３から底板４９上に落下し、第２経路Ｃ２をたどる。
また、上記したように、底板４９上に落下した球Ｂは、特定入賞筒５７が上昇位置（保留位置）にあるため、一般領域５８ａに入賞する。
【００３７】
前記一般領域５８ａに入賞した球Ｂが球検出器で検出され、その球数が「９個」に達するか、開閉部材４５の開閉回数が１５回に達すると、第１可動体５０が上昇位置へ上昇し、第２可動体５２が前進位置へ移動し、特定入賞筒５７が下降位置へ下降する（図７及び図１０参照）。このとき、前記したように、中間位置にある第２可動体５２の保留側面５２ｂで保留されていた球Ｂは、誘導上面５２ａを通じて第３棚板５５上へ転がり第１経路Ｃ１をたどり、特定入賞口５７ａへ入賞することによって、次のラウンドが開始される。しかして、第２可動体５２で保留された球Ｂが無かった場合は、大当たり遊技は第１ラウンドで終了する。このように、図柄表示装置６０に表示されたラウンド数に応じて、最大１５ラウンド分、大当たり遊技が継続される。このため、遊技者は多くの賞球を得ることができる。
【００３８】
上記した遊技機によると、中央入賞装置２８（図２参照）における入賞装置本体４０の入賞室４３の球振分部Ａにおける第１可動体５０の上下動と第２可動体５２の前後動との協働により、両可動体５０，５２の相対的な位置関係が様々に変化することによって、球Ｂの振分態様を多様化することができる。
【００３９】
また、第２可動体５２には、第１可動体５０の受止面５０ａ上の反落し口側にくる球Ｂを保留側面５２ｂによって保留可能でかつ該第１可動体５０の受止面５０ａ上の落し口側にくる球Ｂを落し口５３へ落下可能とする中間位置を設定している。したがって、前述したように、第２可動体５２の中間位置において、球Ｂが不規則に振分けられることにより、球Ｂの振分態様を一層多様化することができる。
【００４０】
また、特定入賞筒５７が受入位置にあるときは、第１経路Ｃ１を流下する球Ｂが特定入賞口５７ａに入賞する。また、特定入賞筒５７が保留位置にあるときは、第１経路Ｃ１を流下する球Ｂが特定入賞筒５７によって保留される。その保留された球Ｂは、その後の特定入賞筒５７の受入位置への位置変更によって、特定入賞口５７ａに入賞する。これにより、遊技者は特定入賞口５７ａへの球Ｂの入賞の期待感を持続させて遊技を楽しむことができる。
【００４１】
また、受入位置にある特定入賞筒５７の特定入賞口５７ａに、第２経路Ｃ２を流下する球Ｂの一部が入賞することができる。このように、第２経路Ｃ２を流下する球Ｂも特定入賞口５７ａに入賞可能にすることにより、第２経路Ｃ２に球Ｂが流下した場合であっても、遊技者は特定入賞口５７ａへの球Ｂの入賞の期待感を喪失することなく遊技を楽しむことができる。
【００４２】
また、球滞留装置３０による遊技態様と入賞装置本体４０の開閉部材４５による遊技態様との複合された遊技態様が得られることによって、遊技態様を多様化することができる。
【００４３】
また、球滞留装置３０の球旋回部材３３（図３参照）は、球Ｂを旋回させながら徐々に下降させることによって滞留し、その球Ｂの旋回状態を表示する。このため、遊技者は、球旋回部材３３での球Ｂの旋回状態を視認することによって、球Ｂの滞留時間を概ね推定することができ、入賞装置本体４０の球入口４７への入賞の期待感を高めることができる。
【００４４】
また、左右対称状でかつ所定距離隔てた位置関係をもって形成された各放出口３９に対応する各開閉部材４５によって、それぞれの各球入口４７への球Ｂの入賞経路が２通り形成されている（図５参照）。このため、両方の開閉部材４５を開閉したり、一方の開閉部材４５のみを開閉することによって、各球入口４７への球Ｂの入賞形態や球Ｂの入賞難度を多様化することができる。
【００４５】
また、中央入賞装置２８は、始動入賞装置２０，２２に対する球Ｂの入賞に基づいて乱数による抽選を行う制御装置による抽選結果に応じて、両開閉部材４５が開閉される状態と、いずれか一方の開閉部材４５のみが開閉される状態とが選択的に実施される構成としている。これにより、各球入口４７への球Ｂの入賞形態や球Ｂの入賞難度を一層多様化することができる。
【００４６】
また、中央入賞装置２８は、始動入賞装置２０，２２に対する球Ｂの入賞に基づく開閉部材４５の所定回数の開閉動作を１ラウンドとして、特定入賞口５７ａに対する球Ｂの入賞に基づいて、大当たり遊技のラウンド数が抽選により選別される構成としている。これにより、遊技態様を一層多様化することができる。
【００４７】
本発明は上記した実施の形態に限定されるものではなく、本発明の要旨を逸脱しない範囲における変更が可能である。例えば、例えば、上記実施の形態においては、第２種のパチンコ機に本発明を適用した場合を例示したが、いわゆる「権利もの」と呼ばれる第３種のパチンコ機、あるいは、その他型式の遊技機等にも本発明を適用することも可能である。また、中央入賞装置２８における開閉部材４５と第１可動体５０と第２可動体５２と特定入賞筒５７の動作関係は、上記実施の形態のものに限定されるものではなく、適宜変更することができる。このため、中央入賞装置２８における開閉部材４５と第１可動体５０と第２可動体５２と特定入賞筒５７の各動作周期、動作時期は、適宜選定することができる。また、第２可動体５２の中間位置は、省略することができる。また、特定入賞部材は省略してもよいし、あるいは、特定入賞筒５７以外の形状の特定入賞部材に変更したり、特定入賞部材を上下動以外の横方向のスライド、回動等によって位置変更可能に設けることができる。また、特定入賞筒５７の特定入賞口５７ａに対し、第２経路Ｃ２を流下する球Ｂを入賞不可能としてもよい。また、第１可動体５０の受止部（受止面５０ａ）、第２可動体５２の誘導部（誘導上面５２ａ）及び保留部（保留側面５２ｂ）の形成位置、形状等は適宜変更することができる。また、第１可動体５０と第２可動体５２とは、隣合わせで配置するものに限らず、所定間隔隔てて配置してもよい。また、第１可動体５０と第２可動体５２とを、相互間に固定部材を介在した状態で配置することも考えられる。
【００４８】
また、中央入賞装置２８の球滞留装置３０は省略することができる。また、球滞留装置３０の球旋回部材３３は、球Ｂを振分ける機能を有していないが、球Ｂを振分ける機能をもたせることもできる。このため、球旋回部材３３の球出口３５は、１個に限定されるものではなく、複数個とすることができる。また、複数の球出口３５は、全て同じ扱いの孔でもよい。また、複数の球出口３５は、例えば、球Ｂを特定入賞口５７ａに向かう球経路、一般領域に向かう球経路といったように異なった球経路に放出する異なる扱いの孔としてもよい。また、球滞留装置３０は、球Ｂを滞留可能な構造であればよく、球旋回部材３３を備えるものに限定されない。例えば、球Ｂを静止状態の部材に滞留させた後、その部材にスライド、回転あるいは傾動等の動作を与えることによって、球Ｂを放出する構成の球滞留装置でもよい。
【００４９】
【発明の効果】
以上述べたように、本発明の遊技機によれば、入賞装置の入賞室の球振分部における第１可動体の上下動と第２可動体の前後動との協働により、両可動体の相対的な位置関係が様々に変化することによって、球の振分態様を多様化することができる。
【図面の簡単な説明】
【図１】本発明の一実施の形態に係るパチンコ機の遊技盤を示す正面図である。
【図２】中央入賞装置を示す正面図である。
【図３】図２のＩＩＩ−ＩＩＩ線矢視断面図である。
【図４】中央入賞装置の球滞留装置及び開閉部材を示す斜視図である。
【図５】中央入賞装置の開閉部材の開状態を示す斜視図である。
【図６】中央入賞装置の入賞室の周辺部を示す斜視図である。
【図７】中央入賞装置の入賞室の周辺部における大当たり遊技の開始状態を示す斜視図である。
【図８】通常時における開閉部材と第１可動体と第２可動体と特定入賞筒との動作関係を示すタイミングチャートである。
【図９】始動口入賞時における開閉部材と第１可動体と第２可動体と特定入賞筒との動作関係を示すタイミングチャートである。
【図１０】大当たり時における開閉部材と第１可動体と第２可動体と特定入賞筒との動作関係を示すタイミングチャートである。
【符号の説明】
１０　遊技盤
２８　中央入賞装置（入賞装置）
４０　入賞装置本体
４３　入賞室
５０　第１可動体
５０ａ　受止面（受止部）
５２　第２可動体
５２ａ　誘導上面（誘導部）
５２ｂ　保留側面（保留部）
５３　落し口
５７　特定入賞筒
５７ａ　特定入賞口
Ｃ１　第１経路
Ｃ２　第２経路
【図１】
2004113499.tif 000003
【図２】
2004113499.tif 000004
【図３】
2004113499.tif 000005
【図４】
2004113499.tif 000006
【図５】
2004113499.tif 000007
【図６】
2004113499.tif 000008
【図７】
2004113499.tif 000009
【図８】
2004113499.tif 000010
【図９】
2004113499.tif 000011
【図１０】
2004113499.tif 000012